(57)【要約】      （修正有）【課題】カメラを備えた電子錠及びテレビドアホン機能を備えた電子錠システムを提供する。【解決手段】電子錠は、テレビドアホンの室外モジュール２０上部に設けられ、室内に設けられた表示器に撮像した画像を表示するためのカメラ２０２と、室内にいる人を呼び出すための呼び出しボタン２０６と、カメラ２０２よりも下側に設けられロックを解除する情報を入力するための入力部と、入力部を覆う第１のカバー２１６ａとを備える。第１のカバーは、正面視して、カメラ及び呼び出しボタンの位置を除いた部分を覆う。【選択図】図２
2015226238.tif 000002
【特許請求の範囲】
【請求項１】
上部に設けられ、室内に設けられた表示器に撮像した画像を表示するためのカメラと、
前記室内にいる人を呼び出すための呼び出しボタンと、
前記カメラよりも下側に設けられ、ロックを解除する情報を入力するための入力部と、を備えた電子錠。
【請求項２】
請求項１記載の電子錠において、
前記入力部を覆う第１のカバーと、
前記カメラよりも高い位置に配置され、前記第１のカバーを上側に開くように回転させる回転軸と、
前記第１のカバーを予め決められた位置まで開くように跳ね上げる跳ね上げ部と、を更に備える電子錠。
【請求項３】
請求項２記載の電子錠において、
前記呼び出しボタンは、前記カメラよりも下側に設けられ、
前記第１のカバーは、正面視して、前記カメラ及び前記呼び出しボタンの位置を除いた部分を覆う電子錠。
【請求項４】
請求項３記載の電子錠において、
前記第１のカバーの下部が手前側に引き外されると、前記カメラが撮像を開始する電子錠。
【請求項５】
請求項３記載の電子錠において、
前記入力部が操作されると、前記カメラが撮像を開始する電子錠。
【請求項６】
請求項４又は５記載の電子錠において、
下部にメカニカルキーが挿入される鍵穴部と、
前記鍵穴部よりも低い位置にある回転軸回りに回転し、下側に開く第２のカバーと、を更に備えた電子錠。
【請求項７】
請求項６記載の電子錠において、
前記カメラは広角レンズを有する電子錠。
【請求項８】
扉に取り付けられた電子錠と、
前記扉の室内側に設けられたモニタ部と、を備えた電子錠システムであって、
前記電子錠は、上部に設けられたカメラと、
前記カメラに隣接して設けられた呼び出しボタンと、
前記カメラ及び前記呼び出しボタンよりも下側に設けられ、ロックを解除するための情報を入力するための入力部と、
前記入力部を覆う第１のカバーと、
前記カメラが撮像した画像の情報を送信する送信部と、を有し、
前記モニタ部は、前記送信部により送信された画像情報を受信する受信部と、
前記受信部によって受信された前記画像の情報に基づいて該画像を表示する表示器と、を有する電子錠システム。
【発明の詳細な説明】
【技術分野】
【０００１】
本発明は、電子錠及び電子錠システムに関する。
【背景技術】
【０００２】
特許文献１には、暗証番号の一致によって開錠される電気錠と連動した電気錠連動テレビドアホンが記載されている。この電気錠連動テレビドアホンは、カメラユニットを備えたテレビドアホン子機と、暗証解錠手段と、暗証解錠手段からの暗証番号の一致不一致の信号を検知する制御部と、暗証番号の一致を検知したときに解錠する電気錠とを備えた電子錠解錠装置と、暗証解錠手段が操作されることによってテレビドアホンのカメラユニットで暗証解錠手段の操作者の撮影を開始し撮影した映像を録画する録画ユニットと、テレビドアホン子機と応答可能なテレビドアホン親機と、を備えている。
【先行技術文献】
【特許文献】
【０００３】
【特許文献１】特開２００７−３３５９１８号公報
【発明の概要】
【発明が解決しようとする課題】
【０００４】
ここで一般に、テレビドアホンと電子錠とは、それぞれ別に設けられている。
本発明は、カメラを備えた電子錠及びテレビドアホン機能を備えた電子錠システムを提供することを目的とする。
【課題を解決するための手段】
【０００５】
前記目的に沿う第１の発明に係る電子錠は、上部に設けられ、室内に設けられた表示器に撮像した画像を表示するためのカメラと、
前記室内にいる人を呼び出すための呼び出しボタンと、
前記カメラよりも下側に設けられ、ロックを解除する情報を入力するための入力部と、を備える。
【０００６】
第１の発明に係る電子錠において、
前記入力部を覆う第１のカバーと、
前記カメラよりも高い位置に配置され、前記第１のカバーを上側に開くように回転させる回転軸と、
前記第１のカバーを予め決められた位置まで開くように跳ね上げる跳ね上げ部と、を更に備えることが好ましい。
【０００７】
第１の発明に係る電子錠において、
前記呼び出しボタンは、前記カメラよりも下側に設けられ、
前記第１のカバーは、正面視して、前記カメラ及び前記呼び出しボタンの位置を除いた部分を覆うことが好ましい。
【０００８】
第１の発明に係る電子錠において、
前記第１のカバーの下部が手前側に引き外されると、前記カメラが撮像を開始することが好ましい。
【０００９】
請求項３記載の電子錠において、
前記入力部が操作されると、前記カメラが撮像を開始することが好ましい。
【００１０】
第１の発明に係る電子錠において、
下部にメカニカルキーが挿入される鍵穴部と、
前記鍵穴部よりも低い位置にある回転軸回りに回転し、下側に開く第２のカバーと、を更に備えていてもよい。
【００１１】
第１の発明に係る電子錠において、
前記カメラは広角レンズを有することが好ましい。
【００１２】
前記目的に沿う第２の発明に係る電子錠システムは、扉に取り付けられた電子錠と、
前記扉の室内側に設けられたモニタ部と、を備えた電子錠システムであって、
前記電子錠は、上部に設けられたカメラと、
前記カメラに隣接して設けられた呼び出しボタンと、
前記カメラ及び前記呼び出しボタンよりも下側に設けられ、ロックを解除するための情報を入力するための入力部と、
前記入力部を覆う第１のカバーと、
前記カメラが撮像した画像の情報を送信する送信部と、を有し、
前記モニタ部は、前記送信部により送信された画像情報を受信する受信部と、
前記受信部によって受信された前記画像の情報に基づいて該画像を表示する表示器と、を有する。
【発明の効果】
【００１３】
本発明によれば、カメラを備えた電子錠及びテレビドアホン機能を備えた電子錠システムを提供することができる。
【図面の簡単な説明】
【００１４】
【図１Ａ】本発明の一形態に係る電子錠の扉の外側から見た説明図である。
【図１Ｂ】同電子錠の扉の内側から見た説明図である。
【図２】（Ａ）、（Ｂ）は、それぞれ、同電子錠の正面図及び側面図である。
【図３】同電子錠のカバー部を取り外した状態を示す説明図（正面図）である。
【図４】同電子錠のカバー部の動作を示す側面図である。
【発明を実施するための形態】
【００１５】
続いて、添付した図面を参照しつつ、本発明を具体化した実施の形態につき説明し、本発明の理解に供する。なお、図において、説明に関連しない部分は図示を省略する場合がある。
【００１６】
本発明の一実施の形態に係る電子錠１０は、図１Ａに示すように、扉１２のノブ１４よりも高い位置に取り付けられている。リモコンキーＲＫを所持する管理者は、このリモコンキーＲＫを使用して、物理的なメカニカルキーＭＫを使用しなくても扉１２を解錠できる。
電子錠１０は、室外モジュール２０及び図１Ｂに示す室内モジュール３０を備えている。
【００１７】
室外モジュール２０は、図２（Ａ）、図２（Ｂ）及び図３に示すように、カメラ２０２、マイク２０４、呼び出しボタン２０６、入力部２０８、アンテナ部２１０、スピーカ２１２、鍵穴部２１４及びカバー部２１６を有している。
【００１８】
カメラ２０２は、訪問者の顔を撮像できる。カメラ２０２は、訪問者の顔をより撮像し易くするために、上部に設けられている。カメラ２０２のレンズは広い視野角α（図４参照）を確保するために、広角レンズとなっている。カメラ２０２の右側には、図３に示すように、撮像対象となる訪問者の顔を照らす照明用のＬＥＤ２３０が設けられている。
【００１９】
マイク２０４は、カメラ２０２の右側かつＬＥＤ２３０の上側に設けられている。訪問者は、このマイク２０４及びスピーカ２１２を用いて、室内にいる人と通話できる。
【００２０】
呼び出しボタン２０６は、訪問者が室内にいる人を呼び出すための呼び出し音を出力するためのボタンである。なお、この呼び出しボタンは、例えば、タッチパネル方式のボタンであってもよい。
呼び出しボタンは、カメラ２０２に隣接して下側に設けられている。
【００２１】
入力部２０８は、電子錠１０のロックを解除するための暗証番号（情報の一例）を入力できる。この入力部２０８は、例えばテンキーである。
入力部２０８は、カメラ２０２及び呼び出しボタン２０６よりも下側に設けられている。
【００２２】
アンテナ部２１０は、非接触ＩＣカードの情報を読み取るためのアンテナである。アンテナ部２１０は、入力部２０８の下側に配置されている。
スピーカ２１２は、アンテナ部２１０の下側に配置されている。前述の通り、訪問者は、このスピーカ２１２及びマイク２０４を使用して、室内にいる人と通話できる。
【００２３】
鍵穴部２１４は、ロックを解除するための物理的なメカニカルキーＭＫ（図１Ａ参照）が挿入される。メカニカルキーＭＫは、リモコンキーＲＫに内蔵されている。メカニカルキーＭＫは、例えば、リモコンキーＲＫが使用できない場合や入力部２０８が使用できない場合に非常用の解錠手段として使用される。鍵穴部２１４は、室外モジュール２０の下部に設けられている。
【００２４】
カバー部２１６は、図２（Ａ）及び図２（Ｂ）に示すように、第１のカバー２１６ａ及び第２のカバー２１６ｂを有している。
第１のカバー２１６ａは、入力部２０８を覆って保護している。詳細には、第１のカバー２１６ａは、カメラ２０２、呼び出しボタン２０６、及びＬＥＤ２３０のある位置がくり抜かれ、カメラ２０２、呼び出しボタン２０６、及びＬＥＤ２３０の位置を除いた部分を覆うことができる。
第１のカバー２１６ａは、カメラ２０２よりも高い位置にある回転軸ＡＸａ回りに回転し、上側に開く。
第１のカバー２１６ａの前面下部の「ＰＵＳＨ」と記された箇所（図２（Ａ）参照）を押し込むと、第１のカバーの下部が例えば数ミリ押し込まれ、室外モジュール２０に内蔵された押しボタンスイッチ（不図示）が押される。すなわち、第１のカバー２１６ａは、この押しボタンスイッチの操作部としても機能する。
【００２５】
第２のカバー２１６ｂは、鍵穴部２１４（図３参照）を覆って、保護している。第２のカバー２１６ｂは、鍵穴部２１４よりも低い位置にある回転軸ＡＸｂ回りに回転し、下側に開く。
【００２６】
このように、カバー部２１６はそれぞれ上下に開く第１のカバー２１６ａ及び第２のカバー２１６ｂによって構成されている。従って、図４の二点鎖線にて示すように、上側に開く第１のカバー２１７ａのみで入力部２０８及び鍵穴部２１４が覆われている場合と比較して、開いた第１のカバー２１６ａが手前側に飛び出す量が低減され、第１のカバー２１６ａが破損する可能性が低減される。
【００２７】
室外モジュール２０は、第１のカバー２１６ａを上側に開くように跳ね上げる図示しないバネ（跳ね上げ部の一例）及び検出器を更に備えている。
バネは、第１のカバー２１６ａに対して、上側に回転させる力を加えることができる。跳ね上がった第１のカバー２１６ａは、第１のカバー２１６ａが手前側に引き外されると、カメラ２０２の視野を妨げない位置まで開いて静止する（図４参照）。
【００２８】
検出器は、第１のカバー２１６ａが閉じていないことを検出できる。検出器は、検出スイッチ２８０及び突起２８２を有している。
検出スイッチ２８０は、室外モジュール２０の内部に実装されている。
突起２８２は、第１のカバー２１６ａの先端部の内側に突出している。突起２８２は、第１のカバー２１６ａが閉じた状態においては、入力部２０８の近傍に形成された孔（不図示）を通って検出スイッチ２８０を押すことができるように配置されている（図４に示す矢印参照）。従って、検出器の検出スイッチ２８０は、第１のカバー２１６ａが手前側に引き外されると信号を出力する。
【００２９】
室内モジュール３０は、図１Ｂに示すバッテリー搭載部３０２と、モータ（不図示）、施錠機構（不図示）、及び送信部３０４を有している。
バッテリー搭載部３０２には、例えば単３形乾電池が挿入される。室外モジュール２０の電源は、バッテリー搭載部３０２に挿入された乾電池により供給される。
【００３０】
モータは、バッテリー搭載部３０２に挿入された乾電池から電源が供給され、施錠機構を駆動できる。
施錠機構は、モータによって駆動され、扉１２を解錠又は施錠できる。
【００３１】
送信部３０４は、室外モジュール２０のカメラ２０２によって撮像された撮像データを、無線により送信できる。送信された撮像データは、室内に設置されたモニタモジュール（モニタ部の一例）４０に送信される。
なお、送信部３０４は、アンテナを有している。ただし、このアンテナは室内モジュール３０に内蔵されていてもよい。
【００３２】
モニタモジュール４０は、スピーカ（不図示）及びマイク（不図示）を有している。スピーカからは呼び出し音が出力される。訪問者と室内にいる人は、モニタモジュール４０及び電子錠１０の室外モジュール２０を介して通話できる。
【００３３】
また、モニタモジュール４０は、送信部３０４によって送信された撮像データを受信する受信部４０２及び受信部４０２によって受信された撮像データに基づいて、この撮像画像を表示する表示器４０４を有している。
受信部４０２は、アンテナを有している。ただし、このアンテナはモニタモジュール４０に内蔵されていてもよい。
なお、モニタモジュール４０及び電子錠１０によって、電子錠システムの一例が構成される。
【００３４】
次に、電子錠１０の動作について説明する。
リモコンキーＲＫを所持する管理者は、第１のカバー２１６ａの下部の「ＰＵＳＨ」と記された箇所を押し込むと、第１のカバー２１６ａの下部が押し込まれ、室外モジュール２０に内蔵された押しボタンスイッチ（不図示）が押される。押しボタンスイッチが押されると、電子錠１０とリモコンキーＲＫとの間で通信が開始され、扉１２を解錠してもよい条件を満たす場合には、解錠される。
【００３５】
リモコンキーＲＫに代えて、非接触ＩＣカードを用いて解錠することも可能である。非接触ＩＣカードを所持する管理者は、この非接触ＩＣカードをアンテナ部２１０（図３参照）にかざすことによって、解錠できる。
【００３６】
リモコンキーＲＫ及び非接触ＩＣカードのいずれも所持していない管理者は、入力部２０８より予め設定された暗証番号を入力することにより解錠できる。
その際、管理者は、第１のカバー２１６ａの下部を手前に引き外すと、第１のカバー２１６ａは跳ね上げ部によって跳ね上げられ、カメラ２０２の視野角α（図４参照）を妨げない位置まで回転して開く。
このように、電子錠１０においては、第１のカバー２１６ａが閉じている場合であっても、第１のカバー２１６ａが開いて入力部２０８が操作されている場合であっても、訪問者の顔を撮像できるので、防犯性が向上する。
【００３７】
第１のカバー２１６ａの下部が手前に引き外されたことが検出器の検出スイッチ２８０によって検出されると、カメラ２０２は撮像を開始する。
第１のカバー２１６ａが跳ね上がった後、管理者は入力部２０８を操作して、暗証番号を入力する。入力された暗証番号が予め設定された暗証番号であった場合には、解錠される。
【００３８】
以上説明したように、電子錠１０によれば、カメラ２０２を備えているので、防犯性が向上する。また、電子錠１０及びモニタモジュール４０を設置することにより、テレビドアホン機能を備えた電子錠システムが構築される。
【００３９】
以上、本発明の実施の形態を説明したが、本発明は、上記した形態に限定されるものでなく、要旨を逸脱しない条件の変更等は全て本発明の適用範囲である。
前述の実施の形態においては、第１のカバー２１６ａが跳ね上がったことを検出器が検出した後にカメラ２０２が撮像を開始していたが、入力部２０８が操作された後に、カメラ２０２が撮像を開始してもよい。
【符号の説明】
【００４０】
１０：電子錠、１２：扉、１４：ノブ、２０：室外モジュール、３０：室内モジュール、４０：モニタモジュール、２０２：カメラ、２０４：マイク、２０６：ボタン、２０８：入力部、２１０：アンテナ部、２１２：スピーカ、２１４：鍵穴部、２１６：カバー部、２１６ａ：第１のカバー、２１６ｂ：第２のカバー、２１７ａ：第１のカバー、２３０：ＬＥＤ、２８０：検出スイッチ、２８２：突起、３０２：バッテリー搭載部、３０４：送信部、４０２：受信部、４０４：表示器、ＡＸａ：回転軸、ＡＸｂ：回転軸、ＭＫ：メカニカルキー、ＲＫ：リモコンキー
【図１Ａ】
2015226238.tif 000003
【図１Ｂ】
2015226238.tif 000004
【図２】
2015226238.tif 000005
【図３】
2015226238.tif 000006
【図４】
2015226238.tif 000007